(57)【要約】【課題】バルーン型照明装置やこれを備えるバルーン型投光機において、照明機能に加え効果的な情報発信機能を付与する。【解決手段】バルーン型照明装置１は、バルーン２とバルーンを膨らませる送風機８と光源７とを備え、光源７からバルーン２を介して外部に出射される光で周囲を照明する。このバルーン型照明装置１は、バルーン２の外側表面に装着されるフレキシブル発光表示体３と、フレキシブル発光表示体３に文字や絵柄などの情報を表示させる制御ユニット５を備える。【選択図】図１
2015191690.tif 000002
【特許請求の範囲】
【請求項１】
バルーンと該バルーンを膨らませる送風機と光源とを備え、前記光源から前記バルーンを介して外部に出射される光で周囲を照明するバルーン型照明装置において、
前記バルーンの外側表面に装着されるフレキシブル発光表示体と、
前記フレキシブル発光表示体に文字や絵柄などの情報を表示させる制御ユニットとを備えること特徴とするバルーン型照明装置。
【請求項２】
前記フレキシブル発光表示体は、発光素子がマトリクス状に配置されたフレキシブル基板を備えることを特徴とする請求項１記載のバルーン型照明装置。
【請求項３】
前記フレキシブル発光表示体は、発光素子がマトリクス状に配置された短冊板状基板を複数枚屈曲自在に繋ぎ合わせたものであることを特徴とする請求項１記載のバルーン型照明装置。
【請求項４】
前記制御ユニットは、表示情報が記憶される内蔵メモリーと外部記憶媒体からの情報を取得する外部記憶媒体接続部を備え、前記内蔵メモリーに記憶されている情報又は前記外部記憶媒体接続部にて取得した情報を前記フレキシブル発光表示体に表示させる制御部を備えることを特徴とする請求項１〜３のいずれか１項に記載のバルーン型照明装置。
【請求項５】
前記制御ユニットは、外部の情報通信端末から送信させた表示情報を受信する通信受信部を備え、前記通信受信部が受信した情報を前記フレキシブル発光表示体に表示させる制御部を備えることを特徴とする請求項１〜４のいずれか１項に記載のバルーン型照明装置。
【請求項６】
前記制御ユニットは、前記バルーンから取り外した前記フレキシブル発光表示体を収納する収納部と共に、前記バルーンの内部に配置されることを特徴とする請求項１〜５のいずれか１項に記載のバルーン型照明装置。
【請求項７】
前記バルーンから取り外した前記フレキシブル発光表示体を収納する収納ケースが前記バルーンの外側に設けられ、前記制御ユニットは前記収納ケース内に配置されることを特徴とする請求項１〜５のいずれか１項に記載のバルーン型照明装置。
【請求項８】
前記フレキシブル発光表示体が防水性を有することを特徴とする請求項１〜７のいずれか１項に記載のバルーン型照明装置。
【請求項９】
前記フレキシブル発光表示体が光透過性を有することを特徴とする請求項１〜８のいずれか１項に記載のバルーン型照明装置。
【請求項１０】
請求項１〜９のいずれか１項に記載されたバルーン型照明装置を支柱上に設置したバルーン型投光機。
【発明の詳細な説明】
【技術分野】
【０００１】
本発明は、バルーン型照明装置及びバルーン型投光機に関するものである。
【背景技術】
【０００２】
バルーン型照明装置は、無指向性の広い照明範囲が得られること、高い防眩効果が得られることなどの優位性から、工事現場などの屋外照明に用いられる投光機としてだけでなく、屋内外を問わない各種用途の照明装置として需要が高まっている。
【０００３】
従来のバルーン型照明装置或いはバルーン型投光機は、空気圧によって膨らませることができるバルーンを備えており、その内部に光源とバルーンを膨らませるための送風機が配備されている。バルーン型照明装置や投光機の光源としては、一般にＨＩＤランプなどの放電ランプが用いられ、発電機や商用電源から供給される電力が安定器を介して放電ランプに供給されている。また、近年ではＬＥＤを光源として用いる投光機も増加してきている。
【０００４】
また、バルーン型照明装置やバルーン型投光機は、バルーンを膨らませた状態の胴部外周に「工事中」や「注意」などの文字を印刷などにより表示することで、通行車両の運転手に注意を促すものが提案されている（下記特許文献１参照）。
【先行技術文献】
【特許文献】
【０００５】
【特許文献１】特開２００３−３６７０９号公報
【発明の概要】
【発明が解決しようとする課題】
【０００６】
前述したようにバルーン型照明装置は各種の用途への需要が高まっている。特に、広い照明範囲が得られることで緊急時の避難場所やイベント会場などでの照明に適しており、多くの人が集まる場所でより効果的な用途が期待されている。多くの人が集まる場所にバルーン型照明装置を設置すると、光を全周に放つバルーン型照明装置は多くの人から注目される存在になる。そのため、このバルーン型照明装置から様々な情報を発信すると多くの人に素早く情報を伝達することが可能になる。しかしながら、従来技術のようにバルーンの胴部に文字や絵柄を付与するだけでは、効果的な情報発信を行うことができない問題があった。また、シート材などに文字や絵柄を付与してバルーンの胴部に取り付けると、シート材が遮光する部分で照明効果が低減する問題があった。
【０００７】
本発明は、このような問題に対処することを課題の一例とするものである。バルーン型照明装置やバルーン型投光機において、照明機能に加えて効果的な情報発信機能を付与することができることが本発明の目的である。
【課題を解決するための手段】
【０００８】
このような目的を達成するために、本発明は、明細書に記載された幾つかの発明のうち以下の構成を具備するものである。
バルーンと該バルーンを膨らませる送風機と光源とを備え、前記光源から前記バルーンを介して外部に出射される光で周囲を照明するバルーン型照明装置において、前記バルーンの外側表面に装着されるフレキシブル発光表示体と、前記フレキシブル発光表示体に文字や絵柄などの情報を表示させる制御ユニットとを備えること特徴とするバルーン型照明装置。
【発明の効果】
【０００９】
このような特徴を有する本発明のバルーン型照明装置或いはこのバルーン型照明装置を備えるバルーン型投光機は、フレキシブル発光表示体に情報を表示することで、照明機能に加えて効果的な情報発信機能を付与することができる。これによって多くの情報を自在に伝達できる機能を有するバルーン型照明装置或いはバルーン型投光機を提供することができる。また、フレキシブル発光表示体を全点灯させて発光色による情報表示を行えば、全周に亘る照明効果を低減すること無く効果的に情報発信機能を付与することができる。
【００１０】
本発明のバルーン型照明装置或いはバルーン型投光機をイベント会場や緊急時の避難場所などに設置すると、多くの人が注目するバルーン型照明装置或いはバルーン型投光機に各種の情報が表示されるので、効果的に情報伝達機能を発揮することができる。
【図面の簡単な説明】
【００１１】
【図１】本発明の一実施形態であるバルーン型照明装置を示した説明図である。
【図２】本発明の実施形態における制御ユニットの機能を説明するための概略構成の一例を示した図である。
【図３】、本発明の実施形態に好適なバルーン型照明装置のバルーン形状の例とフレキシブル発光表示体の装着例を示した説明図である。
【図４】本発明によるバルーン型照明装置の他の実施形態を示した説明図である。
【図５】図４で示した実施形態における収納ケースの詳細を示した説明図である。
【図６】（ａ），（ｂ）は、前述した本発明の実施形態に係るバルーン型照明装置を備えた投光機（バルーン型投光機）を示した説明図である。
【発明を実施するための形態】
【００１２】
本発明の実施形態に係るバルーン型照明装置は、バルーンとバルーンを膨らませる送風機と光源とを備え、光源からバルーンを介して外部に出射される光で周囲を照明するバルーン型照明装置において、バルーンの外側表面に装着されるフレキシブル発光表示体と、フレキシブル発光表示体に文字や絵柄などの情報を表示させる制御ユニットとを備えている。ここでのフレキシブル発光表示体は、ＬＥＤなどの発光素子がマトリクス状に配置されたフレキシブル基板を備えるもの、ＬＥＤなどの発光素子がマトリクス状に配置された短冊板状基板を複数枚屈曲自在に繋ぎ合わせたものなどで構成することができ、バルーンの外側表面に着脱自在に装着することで、フレキシブル発光表示体に様々な文字情報等を表示できるようにしたものである。
【００１３】
このような特徴を有する本発明の実施形態に係るバルーン型照明装置は、多くの人々がバルーンの外側から様々な文字情報等を見ることができ、効果的な情報伝達機能を有するバルーン型照明装置を提供することができる。
【００１４】
従来のバルーン型照明装置はバルーン外皮その物、或いはバルーンの外側に文字や画像を書いたシートを張り付けることで、簡単な情報表示ができる機能を持っており、例えば、工事現場では工事の種類や車の誘導の表示、非常時の使用においては救護所の所在、避難所の所在などを明示することができるようになっていた。これに対して近年、バルーン型照明装置は、特にイベント会場、非常時の避難所などで使われることが多くなってきており、非常時の避難所などの使用においては、避難をしている人々に多彩な情報を伝達する機能が求められている。
【００１５】
バルーン型照明装置は、無指向性の光源であってバルーンによって高い防眩効果が得られることから、室内室外のいずれに設置した場合にもよく目立つ存在になる。このバルーン型照明装置のバルーンにフレキシブル発光表示体を装着して情報を表示することで、イベント会場や非常時の避難場所などにおいて多くの人々に対して多彩な情報を効果的に伝達することが可能になる。
【００１６】
フレキシブル発光表示体は、バルーンの湾曲した外側表面に装着するため、或いは非使用時にコンパクトな状態で収納可能にするために、フレキシブル性（可撓性）を有している。発光素子が配置される基板がフィルム状のフレキシブル基板の場合には、様々な方向に沿った湾曲や筒状に丸めることが可能になり、短冊板状基板を複数枚屈曲自在に繋ぎ合わせたものの場合には、繋ぎ目に沿った湾曲や折り畳みが可能になる。
【００１７】
本発明の実施形態に係るバルーン型照明装置は、バルーンから取り外したフレキシブル発光表示体を収納する収納部を備えている。収納部はバルーンの内部に配置しても良いし、バルーンの外側に配置してもよい。フレキシブル発光表示体は、前述したように筒状に丸めた状態や繋ぎ目に沿って折り畳まれた状態で収納部に収納される。このような収納部を備えることで、フレキシブル発光表示体を損傷させることなく持ち運び、保管することができる。
【００１８】
フレキシブル発光表示体は、ＬＥＤを基板にマトリクス状に実装することによって構成することができ、ＬＥＤを選択的に点灯することで文字や絵柄などを表示することができる。発光素子はＬＥＤに限定されることは無く、様々な発光素子を用いることができる。フレキシブル発光表示体の他の例としては、基板にフレキシブル性を有する各種のフラットディスプレイパネル（有機ＥＬパネルやバックライトを発光させる液晶表示パネルなど）を用いることができる。
【００１９】
制御ユニットは、表示情報が記憶される内蔵メモリーと外部記憶媒体からの情報を取得する外部記憶媒体接続部を備え、内蔵メモリーに記憶されている情報又は外部記憶媒体接続部にて取得した情報をフレキシブル発光表示体に表示させる制御部を備えている。内蔵メモリーは制御ユニット内のＲＡＭやＲＯＭなどで構成されるものである。外部記憶媒体としては、ＰＣ（ＰＣ内部のディスクやメモリー），ＵＳＢメモリー，ＳＤカードなどの記憶媒体であり、外部記憶媒体接続部はこれらの記憶媒体が接続可能なインターフェースである。制御部は、表示情報に基づいてフレキシブル発光表示体の発光素子を点灯制御するものである。制御部の動作によるフレキシブル発光表示体の表示形態は、静止画表示だけでなく、スクロール表示、動画表示などが可能である。また、フレキシブル発光表示体を全点灯にして発光色を制御するなどして情報を表示することで、照明機能を低減させること無く情報表示を行うことが可能になる。
【００２０】
制御ユニットへの表示情報の入力は、前述したような記憶媒体を経由する方式だけでなく、無線通信を利用した情報送信によって行うこともできる。このため、制御ユニットは、外部の情報通信端末から送信させた表示情報を受信する通信受信部を備え、通信受信部が受信した情報をフレキシブル発光表示体に表示させる制御部を備えている。
【００２１】
このような制御ユニットは、バルーンの内部に配置してもよいし、バルーンの外側に配置してもよい。また、この制御ユニットはフレキシブル発光表示体を収納する収納部内に配置することができる。通常、バルーン型照明装置は、屋外での使用に対応するためにバルーンなどに防水性を持たせているが、フレキシブル発光表示体やバルーンの外部に設ける収納部に防水性を持たせることで、本発明の実施形態に係るバルーン型照明装置は雨天時にも屋外で使用可能になる。また、フレキシブル発光表示体を光透過性にすることで、バルーン型照明装置の照明機能を低下させること無く、効果的な情報表示を行うことができる。フレキシブル発光表示体は、複数枚設置する、或いは複数枚を連結してそれらに連続した情報を表示するようにしてもよい。
【００２２】
以下、図面に基づいて本発明の実施形態を説明する。以下の各図において共通する部位には同一符号を付して重複説明を省略する。図１は、本発明の一実施形態であるバルーン型照明装置を示した説明図であり、中央部から右側にかけてはその内部を示している。バルーン型照明装置１は、バルーン外皮に覆われたバルーン２とバルーン２を膨らませる送風機８と光源７と備えている。光源７は照明光を出射するものであり、ＨＩＤランプなどの放電ランプやＬＥＤ光源などが用いられ、光源７からバルーン２を介して外部に出射した光で周囲が照明される。
【００２３】
バルーン２の外側表面にはフレキシブル発光表示体３が着脱自在に装着されている。バルーン２の外皮に対するフレキシブル発光表示体３の装着は、面ファスナーなどの着脱自在な固着手段を用いるか、或いはバルーン２の外皮にフレキシブル発光表示体３を保持することができる透明なポケット状の保持部を設けることなどで実現できる。
【００２４】
フレキシブル発光表示体３は、通信ケーブル４によりバルーン２の内部に設置された制御ユニット５に接続されている。バルーン２の内部には、制御ユニット５の他に、光源７と送風機８、光源７及び送風機８に電力を供給する電源部９が設置されている。更に、図示の例では、バルーン２から取り外したフレキシブル発光表示体３を収納する収納部６がバルーン２の内部に配置されている。非使用時にバルーン２から取り外されたフレキシブル発光表示体３は、筒状に丸める或いは折り畳み状態にするなどコンパクトな状態で収納部６に収納される。図示の例では、光源７にＬＥＤを用いており、送風機８により外部から吸引される気流は、電源部９と光源７を共に冷却し、バルーン２の内部へ送られてバルーン２を膨らませている。電源コード１０は、分岐して制御ユニット５と電源部９に接続されている。ここに示した制御ユニット５は、電源コード１０から電源を分岐して駆動するようにしているが、発電機や商用電源から直接電源を取って駆動するようにしてもよい。
【００２５】
図２は、本発明の実施形態における制御ユニットの機能を説明するための概略構成の一例を示した図である。制御ユニット５は、電源回路１１、制御部１６、操作部１４、内蔵メモリー１５、外部記憶媒体接続部１８、無線通信受信部２０などを備えている。フレキシブル発光表示体３に表示する文字情報等の表示情報は、内蔵メモリー１５に保存しておくことができる。内蔵メモリー１５に保存されている表示情報のうち、操作部１４で選択された情報が制御部１６によって、通信ケーブル４を経由してフレキシブル発光表示体３側のドライバ１７に送られる。そして、ドライバ１７の駆動信号でフレキシブル発光表示体３における発光素子の点灯制御が行われ、フレキシブル発光表示体３に表示情報が表示される。図示の例では、ドライバ１７は通信ケーブル４の芯線数を減らすためにフレキシブル発光表示体３側に取り付けているが、フレキシブル発光表示体３の軽量化を図るためにはドライバ１７を制御ユニット５側に設けてもよい。
【００２６】
制御ユニット５は、内蔵メモリー１５に記憶された情報だけで無く、外部記憶媒体接続部１８からの情報をフレキシブル発光表示体３に表示させることができる。例えば、あらかじめパソコン等で作成した文字情報等をＵＳＢメモリー，ＳＤカード等の外部記憶媒体に記憶させておき、これらの外部記憶媒体を外部記憶媒体接続部１８のＵＳＢポート１２やＳＤカードスロット１３に挿入し、表示すべき文字情報などを操作部１４の操作で選択する。このように外部記憶媒体接続部１８に接続された外部記憶媒体から表示すべき情報を直接選択してもよいし、外部記憶媒体から内蔵メモリー１５に表示情報を一旦保存し、そこから制御部１６によって表示情報をドライバ１７に送るようにしてもよい。また、外部記憶媒体を用いずに、ＰＣに専用制御用アプリケーションをインストールして、ＰＣと外部記憶媒体接続部１８をＵＳＢケーブルで接続し、文字情報等の表示情報を直接ＰＣから入力することもできる。
【００２７】
制御ユニット５への表示情報の入力は、携帯通信端末１９からの情報送信で行うこともできる。フレキシブル発光表示体３を表示させる制御ユニット５はスマートフォン、タブレット端末等の携帯通信端末１９を用いて近距離無線通信で操作できるようにもなっており、この場合、携帯通信端末１９に専用制御用アプリケーションをインストールして用いる。
【００２８】
携帯通信端末１９から文字情報等の表示情報を送信すると、制御ユニット５内の無線通信受信部２０で信号を受信し、制御部１６が表示する文字情報等をドライバ１７に送る。また、表示する文字情報は内蔵メモリー１５にあるもの、外部記憶媒体にあるもの、携帯通信端末１９から送ったものを用い、携帯通信端末１９からの操作で、いずれかから選択した情報をドライバ１７に送るようにしてもよい。ここでいう無線通信は無線LANやBLUETOOTH（登録商標）による近距離無線通信、あるいは携帯電話会社等の通信網を使ったインターネット通信のいずれであってもよい。
【００２９】
図３は、本発明の実施形態に好適なバルーン型照明装置のバルーン形状の例とフレキシブル表示体の装着例を示している。
フレキシブル発光表示体３は、フィルム状のフレキシブル基板又は短冊板状基板を繋ぎ合せた基板を用いたもので、本質的に伸縮性は無いため、筒状あるいはそれに近い筒状のように１方向に曲げてバルーン２の外側表面に装着することが望ましい。フレキシブル発光表示体３を装着するバルーン２の形状も、その側面は筒状の一部であることが望ましい。このような形状を有するバルーン２の形成方法は、図３の（ａ）に示すように、上下を開口させた円筒状の胴部形成用シート材と、胴部形成用シート材の上下開口を塞ぐように２枚の円形シート材を胴部形成用シート材に縫合させることで形成することができる。また、別の形成方法としては、図３（ｂ）で示したような一部直線部を持った木の葉状の布片２Ｓを多数枚縫合しバルーン外皮を形成することで、図３の（ｃ）に示すように側面に筒状の曲面形状を持ったバルーン２を形成することができる。
【００３０】
図４は、本発明によるバルーン型照明装置の他の実施形態を示したものである。図４に示した例は、フレキシブル発光表示体３を駆動する制御ユニット（図示されていない）が、バルーン２の外側に設置される収納ケース３０に収められており、その制御ユニットとフレキシブル発光表示体３とが通信ケーブル４で繋がれている。
【００３１】
図５は、図４で示した実施形態における収納ケースの詳細を示した説明図であり、右側上部はその内部を示している。収納ケース３０は、制御ユニット５以外に、フレキシブル発光表示体３を収納できる収納部６もあり、フレキシブル発光表示体３の非使用時には通信ケーブル４も含めたすべてが収納ケース３０に納まり、フレキシブル発光表示体３を損傷することなく持ち運び、保管することができる。
【００３２】
図５（ａ）はフィルム状のフレキシブル基板を有するフレキシブル発光表示体３を丸めて収納できる収納部６を持った収納ケース３０を示したもので、図５（ｂ）は短冊板状の基板を屈曲可能な繋ぎ目でつなぎ合わせたフレキシブル発光表示体３を折り畳んで収納できる収納部６を待った収納ケース３０を示したものである。
【００３３】
制御ユニット５には、図２で示したように、電源入力用としての電源コード１０、表示情報入力用としてのＵＳＢポート１２、ＳＤカードスロット１３、及び操作部１４があり、これらは収納ケース３０に開けられた窓で外部から操作取扱が出来るようになっている。これらの機能は、図１で示した実施形態においてもバルーン下端部に設けられており、外部から操作できるようになっている。更に、バルーン型照明装置１を支柱に装着して投光機として用いる場合には、支柱を伸ばしたままでの状態で操作できるように、操作部（図示していない）をケーブルで引き出して、バルーン型照明装置１としては支柱上部の高所に置いたままで操作できるようにしても良い。
【００３４】
図６（ａ），（ｂ）は、前述した本発明の実施形態に係るバルーン型照明装置を備えた投光機（バルーン型投光機）を示した説明図である。図６（ａ）に示した投光機１００は、台車１０１に取り付けられた伸縮支柱１０２の上にバルーン型照明装置１が設置されている。図示の例では、台車１０１には発電機や二次電池などの電源装置１０３が搭載されている。図６（ａ）で示したバルーン型照明装置１は、バルーン２の内部にフレキシブル発光表示体３を駆動する制御ユニットとフレキシブル発光表示体３を非使用時に収納する収納部６とを持ったものであり、バルーン２の下端部から操作部１４がケーブルでぶら下がっている状態を示したものである。
【００３５】
図６（ｂ）に示した投光機１００Ａは、三脚１０４に取り付けた伸縮支柱１０２Ａ上にバルーン型照明装置１が設置されている。図６（ｂ）で示したバルーン型照明装置１のフレキシブル発光表示体３は収納ケース３０と対になったもので、使用時は例えば伸縮支柱等に収納ケース３０を取り付けておき、非使用時にはフレキシブル発光表示体３とすべての付帯物を、収納ケース３０に納めることができるようになっている。
【００３６】
このような特徴を有するバルーン型照明装置１及び投光機１００，１００Ａは、照明機能に加えて効果的な情報発信機能を付与することができ、フレキシブル発光表示体３に所望の文字情報等を表示することでバルーン２に多くの情報を表示することができる。これによって多くの情報を自在に伝達できる機能を有するバルーン型照明装置１或いはバルーン型投光機１００，１００Ａを提供することができる。
【００３７】
バルーン型の投光機１００，１００Ａは、少々の雨天の場合でも屋外で使用できるように、防水性を付与しているものが一般的であるため、ここに取り付けるフレキシブル発光表示体３及び制御ユニット５などの附帯装置一式も防水性を持っていることが望まれる。こうすることで、雨天時の屋外でも使用可能となり、より使用場所を拡大でき、商品価値を高めることができる。フレキシブル発光表示体３の防水には、透明樹脂フィルムで全体を包み込む、あるいは防水性塗料で全体に防水被膜を形成させる等の方法がある。また、バルーン２に装着されるフレキシブル発光表示体３は全体として光透過性を有していることが好ましい。フレキシブル発光表示体３に光透過性を持たせることで、防眩効果を有するバルーン型照明装置１の照明機能を維持した状態での各種情報表示が可能にある。
【００３８】
バルーン２に装着されるフレキシブル発光表示体３は、表示情報の中で汎用的に良く使用する表示情報は内蔵メモリー１５に蓄積しておき、それを使用すればよいが、バルーン型照明装置１や投光機１００，１００Ａの設置場所に特有の表示情報等は、あらかじめ専用ソフトをインストールしたＰＣ等で作成した文書をＵＳＢメモリー、ＳＤカード等の外部記憶媒体に保存し、これを制御ユニット５にある外部記憶媒体接続部１８に接続して、フレキシブル発光表示体３に表示させることができる。
【００３９】
更に、バルーン型照明装置１を設置した現場で、急きょ必要となった文字情報等は、あらかじめ専用アプリケーションソフトをインストールしたタブレット端末、あるいはスマートフォンのような通信機能を持った携帯通信端末１９で作成し、これを受信機能を持っている制御ユニット５へ送信して、フレキシブル発光表示体３に直ちに表示させることもできる。
【００４０】
フレキシブル発光表示体３は、非使用時にはバルーン型照明装置１から取り外して、コンパクトに収納できるようになっているので、フレキシブル発光表示体３を損傷させることなく持ち運び、保管することができる。また、バルーン２、フレキシブル発光表示体３、及び制御ユニット５を収納する収納ケース３０に防水性を持たすことで、雨天時の屋外においても情報伝達機能を発揮することができ、例えば非常時の避難場所の屋外でも、照明のみでなく、多くの人々に情報を伝達することができる。
【００４１】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００４２】
１：バルーン型照明装置，２：バルーン，３：フレキシブル発光表示体，
４：通信ケーブル，５：制御ユニット，６：収納部，７：光源，８：送風機，
９：電源部，１０：電源コード，１１：電源回路，１２：ＵＳＢポート，
１３：ＳＤカードスロット，１４：操作部，１５：内蔵メモリー，
１６：制御部，１７：ドライバ，１８：外部記憶媒体接続部，
１９；携帯通信端末，２０：無線通信受信部，３０収納ケース，
１００，１００Ａ：投光機，１０１：台車，１０２，１０２Ａ：伸縮支柱，
１０３：電源装置，１０４：三脚
【図１】
2015191690.tif 000003
【図２】
2015191690.tif 000004
【図３】
2015191690.tif 000005
【図４】
2015191690.tif 000006
【図５】
2015191690.tif 000007
【図６】
2015191690.tif 000008